(57)【要約】【課題】天井パネルの立ち上がり時間の短縮と不快な気流をなくし、快適性を向上した放射冷暖房装置を提供することを目的とする。【解決手段】立ち上がり時、コアンダ効果で放射パネルの表面に沿って冷暖房空気を通過させ、放射運転前に事前に放射パネルを冷暖房することでダンパーを切り替えても不快な温度上昇はなくスムーズに切り替えることができ、さらにはパネル面気流生成手段の吹出し部分に風向変向羽根を設置することで立ち上がり時や暑さ寒さを感じるなど好みに合わせて気流の向きを可変させることができる。【選択図】図１
2008014556.tif 000002
【特許請求の範囲】
【請求項１】
放射パネル面に沿って気流を流す、パネル面気流生成手段を設けたことを特徴とした放射冷暖房装置。
【請求項２】
パネル面気流生成手段にアール形状を設けたことを特徴とした請求項１に記載の放射冷暖房装置。
【請求項３】
パネル面気流生成手段の対向側に吸い込み口を設けたことを特徴とした請求項１または２に記載の放射冷暖房装置。
【請求項４】
パネル面気流生成手段の気流吹出し部分に風向変向羽根を設けたことを特徴とした請求項１〜３のいずれか１項に記載の放射冷暖房装置。
【発明の詳細な説明】
【技術分野】
【０００１】
本発明は、放射パネル面を冷却あるいは加熱して室内の冷暖房を行なう放射冷暖房装置に関するものである。
【背景技術】
【０００２】
従来、この種の放射冷暖房装置は特許文献１に示されるものがある。図５に示すように天井面に熱交換パイプ４０を設置し、熱交換パイプ４０に冷却または加熱した流体を流して天井を冷却または加熱して天井放射により室内空間Ａの冷暖房をおこなうように構成してある（例えば、特許文献１参照）。
【０００３】
また、特許文献２に示されるものがある。図６に示すように、小孔２０ａを複数個設けた天井放射パネル２０に、空調機３０から吹き出した冷温風空気により、天井放射パネル２０は冷却または加熱される。また、冷温風空気の一部が小孔２０ａから室内空間Ａへ供給されることにより、室内空間Ａを対流と天井放射パネル２０からの放射の両方で冷暖房を行なうことができる。
【特許文献１】特開平１０−２２７４９５号公報
【特許文献２】特開平６−１７４２６１号公報
【発明の開示】
【発明が解決しようとする課題】
【０００４】
従来、特許文献１に示されているように冷媒循環方式の応用で室内空調をおこなっていたが、天井放射だけでは室内を冷暖房するには時間がかかるといったことで快適性が得られないという問題があった。そのため特許文献２のように対流方式を応用し、対流と放射の両方で冷暖房をおこなうようにすることで冷暖房時間は短縮されるようにはなった。しかしながら、前記従来の構成では、天井放射パネルに設けた小孔から吹出す空気が直接体に当たり不快となる問題があった。
【０００５】
本発明は、前記従来の課題を解決するもので、冷暖房時間に長時間かかる問題や冷温風が直接人に当たり快適性が低下する問題も防止することができる放射冷暖房装置を提供することを目的とする。
【課題を解決するための手段】
【０００６】
前記従来の課題を解決するために、本発明の放射冷暖房装置は、吹出し口にガイダー状のパネル面気流生成手段を設け、放射パネル面に空調機からの吹出し空気が放射パネルに沿って吹き出すように構成したもので、コアンダ効果で天井放射パネルを冷暖房しながら同時に室内も冷暖房し、さらには人体に直接冷温風が当たることもなく快適に室内を冷暖房することができるものである。また、パネル面気流生成手段の吹き出し部分には風向変向羽根が取り付けられており、立ち上り時や暑さ寒さを感じる時には風向変向羽根を好みにより角度を可変でき、また吹き出し部分からの冷温風空気と天井放射パネルからの放射の両方で、同時に室内空間を冷暖房することができる。
【０００７】
以上のような構成であれば、放射パネルに小孔を設けないため冷温風が直接人に当たることはなくなり、さらにコアンダ効果で人に風を直接当てずに室内を対流で早期に冷暖房をすることができ快適性も向上することができる。
【発明の効果】
【０００８】
本発明の放射冷暖房装置は、従来の天井放射パネルの立ち上がり時間の短縮と直接冷温
風が体に当たり快適性が低下するのを防止することができる。
【発明を実施するための最良の形態】
【０００９】
第１の発明は、放射パネル面に沿って気流が流れるように、吹出し口からでた吹出し気流をガイダー状のパネル面気流生成手段を設けたことにより気流はコアンダ効果により、温冷風が直接体に当たるのを防止することができ、快適性低下の防止につながる。
【００１０】
第２の発明は、パネル面気流生成手段にアール形状を設けたことにより室内へ吹出してきた空気の気流が乱れることなく放射パネル面に沿って気流が流れやすくなり、さらに気流が人に当たるのを防止する。
【００１１】
第３の発明は、パネル面気流生成手段の対向側に吸い込み口を設けたものである。
【００１２】
パネル面気流生成手段から吹出し気流を吸い込む時、吹出した空気の対向側でないと気流を乱すことになり、さらには人に気流が当たり快適性を損なってしまう。そのために対向側に吸い込み口を設けたものである。
【００１３】
第４の発明は、パネル面気流生成手段の気流吹出し部分に風向変向羽根を設けたものである。冷暖房の立ち上がり時や使用中に暑さ寒さを感じた場合、風向変向羽根を好みの角度に変更することで、室内空間への気流の吹出す方向を可変し、室内空間での快適性の向上を図ったものである。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における放射冷暖房装置を設置した時の天井部断面図を示すものである。
【００１６】
図１において、Ａは室内空間。１は放射冷暖房装置、２は空調機、３は流路、４はダンパー、５はパネル面気流生成手段、６は放射パネル、７は吸込み口、８はパネル流路で構成している。
【００１７】
以上のように構成された放射冷暖房装置１について、以下その動作、作用を説明する。
【００１８】
まず、冷暖房立ち上がり時、空調機２により冷却または加熱された冷温風空気が流路３を通り、ダンパー４を通過し、室内空間Ａに導入されてくる。この時、冷温風空気はパネル面気流生成手段５で放射パネル６の方向へ吹き出し、コアンダ効果で放射パネル６の表面に沿って通過し、吸込み口７から吸入され、天井放射冷暖房装置１の流路３へ導入され循環することになる。この時、吹き出し空気の対流により室内空間Ａも冷却または加熱されるとともに、放射パネル６も同時に冷却または加熱される。
【００１９】
この状態で、放射パネル６が十分に冷却または加熱されるとダンパー４がパネル流路８側へ切り替えられて空調機２の冷温風空気はパネル流路８へ流れる。通常ダンパー４を切り替えると放射パネル面が冷却または加熱されていないため切り替えた瞬間、室内空間Ａは不快な温度上昇が発生するが、放射パネル６は既にコアンダ効果により表面は冷却または加熱されているためダンパー４を切り替えても不快な温度上昇はなくスムーズに切り替えることができる。
【００２０】
以上のような構成にすることで、無気流で快適な室内空間Ａを短時間で得ることができ
る。
【００２１】
また、パネル面気流生成手段は美観を向上させるため折上げ天井に収納しても良い。
【００２２】
（実施の形態２）
図２は、本発明の第２の実施の形態における放射冷暖房装置を設置した時の天井部断面図を示すものである。図２において、Ａは室内空間。１は放射冷暖房装置、２は空調機、３は流路、４はダンパー、５はパネル面気流生成手段、６は放射パネル、７は吸込み口、８はパネル流路で構成している。
【００２３】
以上のように構成された放射冷暖房装置１について、以下その動作、作用を説明する。
【００２４】
空調機２により冷却または加熱された冷温風空気が流路３を通り、ダンパー４を通過し、パネル面気流生成手段５通過する時、パネル面気流生成手段５の吹出す部分をアール形状にすることで、冷温風空気はパネル面気流生成手段５内で気流を乱すことなくスムーズに放射パネル６に向かって吹出され、また、放射パネル６に沿って流れることになる。以上のような構成にすることで、気流が乱れて人に気流が当たることはなくなり快適性は向上する。
【００２５】
（実施の形態３）
図３は、本発明の第３の実施の形態における放射冷暖房装置を設置した時の天井部断面図を示すものである。図３において、Ａは室内空間。１は放射冷暖房装置、２は空調機、３は流路、４はダンパー、５はパネル面気流生成手段、６は放射パネル、７ａは対向側吸込み口、８はパネル流路で構成している。
【００２６】
以上のように構成された放射冷暖房装置１について、以下その動作、作用を説明する。
【００２７】
空調機２により冷却または加熱された冷温風空気が流路３を通り、ダンパー４を通過し、パネル面気流生成手段５を通過し吹出され、放射パネル６に沿って流れることになる。そして冷温風空気は対向側吸込口７に導入される。この時、吸込口の設置場所が重要になる。吸込口はパネル面気流生成手段５の対向側でないと吹出し空気はうまく導入されず気流が乱れて人に気流が当たることになり、快適性は低下する。
【００２８】
以上のように吸入口をパネル面気流生成手段５の対向側吸込口７に設置することでさらに気流を乱すことなく快適性は向上する。
【００２９】
（実施の形態４）
図４は、本発明の第４の実施の形態における放射冷暖房装置を設置した時の天井部断面図を示すものである。図３において、Ａは室内空間。１は放射冷暖房装置、２は空調機、３は流路、４はダンパー、５はパネル面気流生成手段、６は放射パネル、７は対向側吸込み口、８はパネル流路、９は風向変向羽根で構成している。
【００３０】
以上のように構成された放射冷暖房装置１について、以下その動作、作用を説明する。冷暖房立ち上がり時、空調機２により冷却または加熱された冷温風空気が流路３を通り、ダンパー４を通過し、室内空間Ａに導入されてくる。この時、冷温風空気はパネル面気流生成手段５で放射パネル６の方向へ吹き出し、コアンダ効果で放射パネル６の表面に沿って通過し、対向側の吸込み口７から吸入され、天井放射冷暖房装置１の流路３へ導入され循環することになる。この時、吹き出し空気の対流により室内空間Ａも冷却または加熱されるとともに、放射パネル６も同時に冷却または加熱される。
【００３１】
この状態で、放射パネル６が十分に冷却または加熱されるとダンパー４がパネル流路８側へ切り替えられて空調機２の冷温風空気はパネル流路８へ流れ、放射パネル６が冷却または加熱され、冷暖房放射される。通常ダンパー４を切り替えると放射パネル面が冷却または加熱されていないため、切り替えた瞬間、室内空間Ａは不快な温度上昇が発生するが、放射パネル６は既にコアンダ効果により表面は冷却または加熱されているためダンパー４を切り替えても不快な温度上昇はなくスムーズに切り替えることができる。
【００３２】
さらにパネル面気流生成手段５の吹出し部分に風向変向羽根９を設置することで立ち上がり時や暑さ寒さを感じるなど好みに合わせて気流の向きを可変させることができる。
【産業上の利用可能性】
【００３３】
以上のように、本発明にかかる放射冷暖房装置は、天井放射パネルの立ち上がり時間が短時間で尚且つ人に気流が当たらない無気流の空調であるため、快適性を向上させることが可能となる。
【図面の簡単な説明】
【００３４】
【図１】本発明の実施の形態１における放射冷暖房装置の天井部断面図
【図２】本発明の実施の形態２における放射冷暖房装置の天井部断面図
【図３】本発明の実施の形態３における放射冷暖房装置の天井部断面図
【図４】本発明の実施の形態４における放射冷暖房装置の天井部断面図
【図５】従来の天井放射冷暖房装置の天井部斜視図
【図６】従来の天井放射冷暖房装置の天井部断面図
【符号の説明】
【００３５】
Ａ  室内空間
１  放射冷暖房装置
２  空調機
３  流路
４  ダンパー
５  パネル面気流生成手段
６  放射パネル
７  吸込口
７ａ  対向側吸込口
８  パネル流路
９  風向変向羽根
１０  天井放射冷暖房装置
２０  天井放射パネル
２０ａ  小孔
３０  空調機
４０  熱交換パイプ
【図１】
2008014556.tif 000003
【図２】
2008014556.tif 000004
【図３】
2008014556.tif 000005
【図４】
2008014556.tif 000006
【図５】
2008014556.tif 000007
【図６】
2008014556.tif 000008